(57)【要約】【課題】プロジェクターの設置角度の調整において、脚部の新たな構造を提供し、脚部本体（柱状部材）に備える凹凸部（被係合部）の、筐体からの露出を防止し、美観を損なうことを抑制したプロジェクターを提供する。【解決手段】プロジェクター１は、外装筐体２の設置角度を調整する脚部３を有し、脚部３は、第１方向Ａに移動する柱状部材６と、柱状部材６が収納されるケース部材５と、ケース部材５の内側で第１方向Ａに沿う係合部７２を有して柱状部材６を固定する固定部材７と、第１方向Ａと交差する第２方向Ｂに移動し、固定部材７が柱状部材６に近づく方向に移動して係合する状態と、遠ざかる方向に移動して係合を解除する状態とに切替える切替え部材８と、を備えている。また、柱状部材６は、ケース部材５の内側で固定部材７の係合部７２に係合される被係合部６１と、ケース部材５の外側で第１方向Ａに移動するベース部６２と、を備えている。【選択図】図３Ａ
2019191205.tif 000002
【特許請求の範囲】
【請求項１】
筐体の底面に設置されて前記筐体の設置角度を調整する脚部を有するプロジェクターであって、
前記脚部は、
前記底面と交差する第１方向に移動可能に設置された柱状部材と、
前記柱状部材が収納されるケース部材と、
前記ケース部材の内側において前記第１方向に沿う係合部を有して前記柱状部材を固定する固定部材と、
前記第１方向と交差する第２方向に移動可能に設置され、前記固定部材が前記ケース部材の内側で、前記第２方向において、前記柱状部材に近づく方向に移動することで前記柱状部材と係合する状態と、前記柱状部材から遠ざかる方向に移動することで前記柱状部材との係合を解除する状態とになるように切替える切替え部材と、
を備えることを特徴とするプロジェクター。
【請求項２】
請求項１に記載のプロジェクターであって、
前記柱状部材は、
前記ケース部材の内側において前記固定部材の前記係合部に係合される被係合部と、
前記ケース部材の外側において前記第１方向に移動するベース部と、
を備えていることを特徴とするプロジェクター。
【請求項３】
請求項１または請求項２に記載のプロジェクターであって、
前記ケース部材は、前記切替え部材の前記第２方向への移動を案内する案内部を備えていることを特徴とするプロジェクター。
【請求項４】
請求項１〜請求項３のいずれか一項に記載のプロジェクターであって、
前記切替え部材は、前記固定部材を保持する保持部を備えていることを特徴とするプロジェクター。
【請求項５】
請求項１〜請求項４のいずれか一項に記載のプロジェクターであって、
前記固定部材と前記柱状部材とが係合する方向に前記切替え部材を移動させるバネ部材を備えていることを特徴とするプロジェクター。
【請求項６】
請求項５に記載のプロジェクターであって、
前記切替え部材は前記底面から延出する先端部を備え、前記先端部が押圧されて前記第２方向に移動されることにより、前記固定部材の前記柱状部材との係合が解除され、押圧が中止されることにより、前記固定部材の前記柱状部材との係合が行われることを特徴とするプロジェクター。
【請求項７】
請求項２〜請求項６のいずれか一項に記載のプロジェクターであって、
前記係合部および前記被係合部の形状は、ねじ形状またはラック形状であることを特徴とするプロジェクター。
【請求項８】
請求項６または請求項７に記載のプロジェクターであって、
前記ケース部材は、前記柱状部材の前記被係合部、前記固定部材、前記先端部以外の前記切替え部材、および前記バネ部材を内部に密閉するように収容し、前記柱状部材の前記ベース部は、前記ケース部材の外部に移動可能となっていることを特徴とするプロジェクター。
【発明の詳細な説明】
【技術分野】
【０００１】
本発明は、プロジェクターに関する。
【背景技術】
【０００２】
従来、プロジェクターを机上面に載置してスクリーン等に画像を投写する場合、スクリーンに投写した画像がスクリーンの領域内に入るように、プロジェクターの設置角度を調整することが必要となる。その際、プロジェクターの外装筐体の底面部等に設置される角度調整用の脚部を用いて、底面部からの突出長さを調整することにより、設置角度を調整している。
【０００３】
特許文献１に開示される角度調整用の脚部は、外装筐体に対して回動して外装筐体の外面からの突出長さを変更する脚部本体と、脚部本体から脚部本体の回動方向に沿って外装筐体内部に向けて延出する突出部と、を備えている。
【先行技術文献】
【特許文献】
【０００４】
【特許文献１】特開２０１１−２４２５２５号公報
【発明の概要】
【発明が解決しようとする課題】
【０００５】
特許文献１に記載の脚部を含め、従来の脚部本体には、角度調整後の脚部本体をロックするための凹凸部が備えられている。そして、角度調整後の脚部本体は、外装筐体の底面部から突出して露出し、この凹凸部も露出した状態となる。このため、角度調整後の脚部本体は、露出する凹凸部により複雑な外観となり、美観を損なうという課題がある。また、露出する凹凸部には埃が付着しやすく、角度調整を繰り返すことにより、付着した埃が筐体内部に侵入しやすくなるという課題がある。なお、これらの課題を解決するために、設置角度の調整が行える脚部の新たな構造が課題となる。
【課題を解決するための手段】
【０００６】
本願のプロジェクターは、筐体の底面に設置されて筐体の設置角度を調整する脚部を有するプロジェクターであって、脚部は、底面と交差する第１方向に移動可能に設置された柱状部材と、柱状部材が収納されるケース部材と、ケース部材の内側において第１方向に沿う係合部を有して柱状部材を固定する固定部材と、第１方向と交差する第２方向に移動可能に設置され、固定部材がケース部材の内側で、第２方向において、柱状部材に近づく方向に移動することで柱状部材と係合する状態と、柱状部材から遠ざかる方向に移動することで柱状部材との係合を解除する状態とになるように切替える切替え部材と、を備えることを特徴とする。
【０００７】
上記プロジェクターの柱状部材は、ケース部材の内側において固定部材の係合部に係合される被係合部と、ケース部材の外側において第１方向に移動するベース部と、を備えていることが好ましい。
【０００８】
上記プロジェクターのケース部材は、切替え部材の第２方向への移動を案内する案内部を備えていることが好ましい。
【０００９】
上記プロジェクターの切替え部材は、固定部材を保持する保持部を備えていることが好ましい。
【００１０】
上記プロジェクターは、固定部材と柱状部材とが係合する方向に切替え部材を移動させるバネ部材を備えていることが好ましい。
【００１１】
上記プロジェクターの切替え部材は、底面から延出する先端部を備え、先端部が押圧されて第２方向に移動されることにより、固定部材の柱状部材との係合が解除され、押圧が中止されることにより、固定部材の柱状部材との係合が行われることが好ましい。
【００１２】
上記プロジェクターの係合部および被係合部の形状は、ねじ形状またはラック形状であることが好ましい。
【００１３】
上記プロジェクターのケース部材は、柱状部材の被係合部、固定部材、先端部以外の切替え部材、およびバネ部材を内部に密閉するように収容し、柱状部材のベース部は、ケース部材の外部に移動可能となっていることが好ましい。
【図面の簡単な説明】
【００１４】
【図１】本実施形態のプロジェクターの外装筐体と脚部を示す斜視図。
【図２】脚部の拡大図。
【図３Ａ】脚部を前後方向で切断した状態の断面図。
【図３Ｂ】脚部を前後方向で切断した状態の断面図。
【図４Ａ】角度調整時の切替え部材の動作を説明する断面図。
【図４Ｂ】角度調整時の切替え部材の動作を説明する断面図。
【図４Ｃ】角度調整時の切替え部材の動作を説明する断面図。
【図５】切替え部材と固定部材とを示す斜視図。
【図６Ａ】角度調整時の脚部の動作を説明する断面図。
【図６Ｂ】角度調整時の脚部の動作を説明する断面図。
【図６Ｃ】角度調整時の脚部の動作を説明する断面図。
【発明を実施するための形態】
【００１５】
以下、本発明の実施形態について図面を参照して説明する。なお、以下の各図においては、各部材を認識可能な程度の大きさとするため、各部材の尺度を実際とは異ならせている。
【００１６】
図１は、プロジェクター１の外装筐体２と脚部３を示す斜視図である。図２は、脚部３の拡大図である。なお、図１、図２は、プロジェクター１を前面上側から見た斜視図である。
以降では、プロジェクター１において投写側（外装筐体２の投写レンズ（図示省略）用の開口部２Ａが形成される側）を前面とし、その反対側を背面（または後面）とする。また、以降で記載する「上、下」、「左、右」、及び「前、後」は、図１に示す姿勢でプロジェクター１が設置された状態での上下、前後、及び前面側から見た場合での左右をそれぞれ意味する。なお、プロジェクター１には、脚部３が設置されており、脚部３に対してもプロジェクター１と同様に「上、下」、「左、右」、及び「前、後」を使用する。
【００１７】
プロジェクター１は、画像を投写してスクリーン（図示略）上に投写画像を表示する装置である。プロジェクター１は、図１、図２に示すように、外装を構成する外装筐体２と、載置面（例えば机上面）に載置されたプロジェクター１の設置角度を調整（投写位置を調整）するための脚部３とを備える。
【００１８】
〔外装筐体の構成〕
外装筐体２は、図１に示すように、略直方体形状に形成されている。外装筐体２の内部には、光学構成部と回路構成部等が収納されている。光学構成部は、光源装置、光源装置から射出された光を画像情報に基づいて変調する液晶パネル等の光変調装置、及び光変調装置で変調された光を投写する投写レンズ等を有して構成されている。また、回路構成部は、光学構成部を含めてプロジェクター１を制御するための回路等を有して構成されている。
なお、光学構成部や回路構成部等については、種々の一般的なプロジェクターで用いられているため、具体的な図示や説明は省略する。
【００１９】
外装筐体２において、底面部２１の背面側の２つの角隅部分には、固定脚２Ｂがそれぞれ設置されている。なお、固定脚２Ｂは、底面部２１の外面から突出するように設けられ、プロジェクター１を載置面（例えば机上面）に載置した際に、載置面に当接する部分である。また、底面部２１における前面側の左右方向の略中央部位には、外装筐体２の内外を連通する開口部（図示省略）が形成されている。この開口部には脚部３が嵌入されている。
【００２０】
〔脚部の構成〕
図３Ａ、図３Ｂは、脚部３を前後方向で切断した状態の断面図である。また、図３Ａ、図３Ｂは、固定部材７が柱状部材６を固定した状態である。図３Ａは、詳細には、脚部３を前後方向で切断し、かつ左右方向の中央で切断した状態を示している。図３Ｂは、詳細には、脚部３を前後方向で切断し、かつ左右方向の中央より左側で切断した状態を示している。そのため、図３Ｂでは、切替え部材８は左側から見た側面図となる。
【００２１】
図４Ａ〜図４Ｃは、角度調整時の切替え部材８の動作を説明する断面図である。なお、図４Ａ〜図４Ｃでは、説明の便宜上、柱状部材６及び固定部材７の図示を省略している。図４Ａは、詳細には、柱状部材６が固定されている状態での切替え部材８の状態を示す断面図である。図４Ｂは、詳細には、切替え部材８を上方向に移動させた状態を示す断面図である。図４Ｃは、詳細には、切替え部材８を最大限上方向に移動させた状態を示す断面図である。
なお、図３Ａ、図３Ｂ、図４Ａ〜図４Ｃにおいて、図面右側が前、図面左側が後、図面上側が上、図面下側が下となる。また、図３Ａ、図３Ｂ、図４Ａ〜図４Ｃは、脚部３（プロジェクター１）の左側から見た断面となる。
【００２２】
図５は、固定部材７と切替え部材８とを示す斜視図である。図５は、詳細には、固定部材７を保持する切替え部材８を、後側の下方向から見た斜視図となる。
【００２３】
図６Ａ〜図６Ｃは、角度調整時の脚部３の動作を説明する断面図である。図６Ａは、詳細には、柱状部材６が固定部材７に固定されている状態を示す断面図である。図６Ｂは、詳細には、固定部材７による柱状部材６の固定を解除して角度調整が可能な状態を示す断面図である。図６Ｃは、詳細には、角度調整後に再び固定部材７による柱状部材６の固定を行った状態を示す断面図である。
なお、図６Ａ〜図６Ｃにおいて、図面右側が前、図面左側が後、図面上側が上、図面下側が下となる。また、図６Ａ〜図６Ｃは、脚部３（プロジェクター１）の左側から見た断面となる。
【００２４】
図３Ａ、図３Ｂに示すように、脚部３は、ケース部材５、柱状部材６、固定部材７、切替え部材８、及びバネ部材９を備えて構成されている。
ケース部材５は、柱状部材６、固定部材７、切替え部材８、及びバネ部材９を内部に収容する箱状に形成されている。ケース部材５の内部には、柱状部材収容部５１、切替え部材収容部５２、及びバネ部材収容部５３が並んで形成されている。そして、柱状部材収容部５１には柱状部材６が収容され、切替え部材収容部５２には切替え部材８が収容され、バネ部材収容部５３にはバネ部材９が収容される。
【００２５】
ケース部材５の柱状部材収容部５１に相対する下側面５ａには、開口部５Ａが形成されている。また、切替え部材収容部５２に相対する下側面５ａには、開口部５Ｂが形成されている。なお、脚部３は、一方の開口部５Ａを介して柱状部材６の後述するベース部６２を第１方向Ａ（上下方向）に移動させる。
【００２６】
なお、図３Ａ、図３Ｂに示すように、第１方向Ａとは、本実施形態では、外装筐体２の底面部２１またはケース部材５の下側面５ａと交差する上下方向に一致する。そして、開口部５Ａを介してベース部６２を突出させ、また反対方向に収納させる。なお、他方の開口部５Ｂを介して切替え部材８の後述する押圧部８１を移動させる。
【００２７】
以上の構成により、ケース部材５は、柱状部材６の後述する被係合部６１と、固定部材７と、切替え部材８の押圧部８１以外の部分（切替え部本体８２）と、バネ部材９とを内部に密閉するように収容する。
【００２８】
柱状部材６は、概円柱形状に構成され、第１方向Ａに移動して角度調整を行う。柱状部材６は、被係合部６１とベース部６２とキャップ部６３とを備えている。被係合部６１は、柱状部材６の一方の先端部に位置し、ねじ形状に形成され、ケース部材５の内部（柱状部材収容部５１）において固定部材７の後述する係合部７２に係合される部分である。
【００２９】
ベース部６２は、ケース部材５の外部に露出する部分であり、本実施形態では、円柱形状であり、この部分には、ねじ形状等の係合用の構成は形成されていない。また、キャップ部６３は、図１〜図３Ｂに示すように、柱状部材６の他方の先端部で、ゴム部材を用いてベース部６２の先端を覆う状態で設置されている。なお、キャップ部６３は、プロジェクター１を載置面（例えば机上面）に載置した際に、載置面に当接する部分となる。
【００３０】
バネ部材９は、圧縮コイルばねとして構成されている。バネ部材９は、通常、バネ部材収容部５３に収容されて、切替え部材８の端部８７を下方向に付勢（押圧）している。
【００３１】
切替え部材８は、図３Ａ〜図５に示すように、押圧部８１と切替え部本体８２とで構成されている。押圧部８１は、角度調整を行う場合、プロジェクター１の底面（底面部２１）から延出する切替え部材８の先端部に対応する部分であり、使用者が押圧する部分である。また、押圧部８１は、開口部５Ｂを介してケース部材５から外部に露出する部分である。
【００３２】
切替え部本体８２は、図３Ｂ、図５に示すように、長手方向の一方の側面（後側の側面）が解放された箱形状に形成され、前側の側面（前側面８２ｄとする）と右側面、左側面（右側面８２ｂ、左側面８２ｃとする）とで固定部材７を囲むように収容する固定部材収容部８３を備えている。また、切替え部本体８２は、固定部材７の後述する基板部７１の肩を保持する（固定部材７を保持する）保持部としての保持用突起８４が、固定部材収容部８３の右側面８２ｂ、左側面８２ｃの先端部で内面から内側に向けて突出させた状態で備えている。
【００３３】
なお、図５に示すように、この保持用突起８４を含む右側面８２ｂ、左側面８２ｃの後側に突出する部分を第１摺動部８５とする。第１摺動部８５は、保持用突起８４を含めて、Ｒ面で滑らかに繋がって構成される端面となっている。第１摺動部８５は、右側面８２ｂ、左側面８２ｃで長手方向に沿って２つずつ形成されている。この第１摺動部８５が、切替え部材８が移動する際における移動方向を決める。
【００３４】
固定部材収容部８３の右側面８２ｂ、左側面８２ｃの前側の端部には、前側に突出する第２摺動部８６が形成されている。第２摺動部８６は、Ｒ面で滑らかに繋がって構成される端面となっている。第２摺動部８６は、右側面８２ｂ、左側面８２ｃの長手方向に沿って３つずつ形成されている。この第２摺動部８６が、切替え部材８が移動する際における移動方向を決める。
【００３５】
切替え部本体８２は、ケース部材５の切替え部材収容部５２に収容される。この場合、切替え部本体８２の上側の端部８７は、バネ部材収容部５３の下側に収容される。
【００３６】
固定部材７は、図３Ｂ、図５に示すように、板状に伸びる基板部７１と、基板部７１の短手方向の両端部から所定量内側に入った部分に形成される係合部７２とで構成されている。基板部７１は、切替え部材８の固定部材収容部８３に収容され、基板部７１の両肩を保持用突起８４で保持される。
【００３７】
切替え部材８に固定部材７を保持した状態（図５に示す状態）では、固定部材７は、前後方向の移動を規制されるが、上方向には規制されない。また、係合部７２は、後側に露出した状態となっている。また、係合部７２は、板状に構成され、長手方向に沿って略全面に渡って、柱状部材６の被係合部６１に係合するように、本実施形態では、ねじ形状で形成されている。なお、係合部７２のねじ形状が形成される範囲は、本実施形態では、長手方向に沿って略全面に渡って形成されているが、被係合部６１（柱状部材６）の柱状部材収容部５１内での移動範囲をカバーすることが可能な範囲であればよい。
【００３８】
固定部材７を保持した状態で切替え部材８を切替え部材収容部５２に収容した場合、係合部７２は、切替え部材収容部５２の長手方向の長さと同様の長さとなっている。そのため、係合部７２は上下方向の移動が規制される。
【００３９】
図４Ａ〜図４Ｃに示すように、柱状部材収容部５１は、柱状部材６の被係合部６１を上下方向に案内する（移動させる）部分である。なお、柱状部材収容部５１に相対するケース部材５の下側面５ａには、開口部５Ａが形成される。柱状部材６のベース部６２は、この開口部５Ａを介して上下方向に移動する。なお、開口部５Ａの径は、被係合部６１の径より小さく、ベース部６２の径より大きく形成されている。従って、開口部５Ａからはベース部６２のみが露出し、被係合部６１は、柱状部材収容部５１の内部を移動する。
【００４０】
切替え部材収容部５２は、切替え部材８を斜め方向に案内する（移動させる）部分である。切替え部材収容部５２は、柱状部材収容部５１との境となるケース部材５の右側面５ｂからリブ状に上から下まで延びる第１リブ５２１が形成されている。この第１リブ５２１には、第１リブ５２１から前側に右側面５ｂに沿って伸びる第１案内部５２２が形成されている。
【００４１】
第１案内部５２２は、切替え部材８の第１摺動部８５を案内する部分であり、内側のＲ面と外側のＲ面とを備え、滑らかに繋がって構成されている。この第１案内部５２２の内側Ｒ面と外側Ｒ面とを第１摺動部８５が摺動する。第１案内部５２２は、第１リブ５２１に沿って２つ設置されている。
【００４２】
また、図示省略するが、ケース部材５の左側面５ｃにも。右側面５ｂの第１リブ５２１に相対する位置に同様に第１リブ５２１が形成されている。また、右側面５ｂの第１リブ５２１に形成される第１案内部５２２も同様に相対して左側面５ｃに設置されている。
【００４３】
切替え部材収容部５２は、ケース部材５の前側面５ｄを形成し、前側面５ｄから右側面５ｂの内面に沿って伸びる第２案内部５２３が形成されている。第２案内部５２３は、切替え部材８の第２摺動部８６を案内する部分であり、外側のＲ面を備え、滑らかに繋がって構成されている。この第２案内部５２３の外側Ｒ面を第２摺動部８６が摺動する。第２案内部５２３は、前側面５ｄに沿って３つ設置されている。なお、第２案内部５２３は、左側面５ｃに繋がって形成されている。従って、ケース部材５の前側面５ｄは、第２案内部５２３の外面を含んで構成されている。
以上により、ケース部材５は、切替え部材８の移動（後述する第２方向Ｂへの移動）を案内する第１案内部５２２と第２案内部５２３との２種類の案内部を備えている。
【００４４】
〔脚部の動作〕
図４Ａ〜図６Ｃを参照して脚部３の動作を説明する。
図４Ａ、図６Ａに示すように、使用者による押圧部８１の押圧がない場合、バネ部材９が、切替え部材８の端部８７を押圧することで、切替え部材８は下方向に移動して、柱状部材６の被係合部６１に固定部材７の係合部７２が噛合うことにより柱状部材６の動作は規制されて固定された状態になる。
【００４５】
次に、図４Ａ、図６Ａの状態から、使用者が押圧部８１を押圧して、上方向に切替え部材８を移動させた場合、図４Ｂ、図６Ｂに示すように、切替え部材８の第１摺動部８５が、切替え部材収容部５２の第１案内部５２２に当接し、第１案内部５２２の外形に沿って第１摺動部８５が上方向に移動する。また併せて、切替え部材８の第２摺動部８６が、切替え部材収容部５２の第２案内部５２３に当接し、第２案内部５２３の外形に沿って第２摺動部８６が上方向に移動する。なお、使用者が押圧部８１を押圧して切替え部材８を移動させる場合、バネ部材９による切替え部材８（端部８７）への押圧力に抗する押圧力が必要となる。
【００４６】
使用者がバネ部材９の押圧力に抗して押圧部８１を押圧した場合、第１摺動部８５、第２摺動部８６は、第１案内部５２２、第２案内部５２３にそれぞれ案内されて移動することで、切替え部材８は、柱状部材６から遠ざかる方向に移動する。
【００４７】
なお、本実施形態では、後述するが、切替え部材８は、遠ざかる方向とは逆に、柱状部材６に近づく方向にも移動する。この遠ざかる方向、近づく方向を併せて第２方向Ｂとした場合、固定部材７は、第１方向Ａと交差する第２方向Ｂに移動すると言える。言い換えると、切替え部材８に保持されている固定部材７は、柱状部材６から遠ざかる方向に移動し、また逆に、柱状部材６に近づく方向に移動する。この固定部材７が柱状部材６から遠ざかる方向、近づく方向を併せて第２方向Ｂと言うこともできる。
この動作により、切替え部材８は、第１案内部５２２、第２案内部５２３に沿って、第２方向Ｂに移動する。
【００４８】
図６Ｂに示すように、切替え部材８の第２方向Ｂ（柱状部材６から離れる方向）への移動に従動して、切替え部材８に保持されている固定部材７は、上下方向の長さが切替え部材収容部５２の上下方向の長さと同等であるため、上方向への移動は規制され、前方向に移動する。詳細には、固定部材７は、固定部材収容部８３及び保持用突起８４を滑りながら前方向に移動する。
【００４９】
切替え部材８の柱状部材６から離れる方向への移動に従動して、固定部材７が前方向に移動することにより、図６Ｂに示すように、柱状部材６の被係合部６１と固定部材７の係合部７２との係合を解除する状態となる。言い換えると、固定部材７が前方向に移動することにより、柱状部材６（被係合部６１）から遠ざかる方向に移動することで、柱状部材６（被係合部６１）との係合を解除する状態になる。
【００５０】
図４Ｃに示すように、押圧部８１を押圧した場合、本実施形態では、押圧部８１がケース部材５の下側面５ａに当接することで押圧部８１の上側（第２方向Ｂ）への移動が規制される。この状態が、柱状部材６（被係合部６１）と、固定部材７（係合部７２）との隙間が最も開く状態となる。
【００５１】
上述したように、切替え部材８が柱状部材６から遠ざかる移動により、固定部材７が柱状部材６との係合を解除した場合、柱状部材６は第１方向Ａへの移動が自由となる。この状態にして角度調整を行う。
【００５２】
設置角度を調整する場合、例えば、使用者はプロジェクター１の背面側に立ち、一方の手で外装筐体２の右側面を保持し、他方の手で前側面を保持すると共にいずれかの指で押圧部８１に下方向から当接させる。次に、押圧部８１に当てた指で押圧部を押圧する（上方向に押す）ことで、固定部材７の柱状部材６への係合を解除させる。そして、係合を解除させた状態を維持（押圧を維持）して、一方の手と他方の手により、外装筐体２の前側面を上下させることで角度調整を行う。なお、固定部材７の柱状部材６への係合を解除させたため、柱状部材６のキャップ部６３は載置面に当接した状態で、前側面を上下することに従動して、底面部２１からの柱状部材６の突出量が変化する。そして、投写した画像が所望の範囲に投写されたところで、押圧するのを止める。これにより角度調整が完了する。
【００５３】
なお、図４Ｃ、図６Ｂに示すように、固定部材７の柱状部材６への係合を解除させた状態では、切替え部材８の第２摺動部８６は、切替え部材収容部５２の第２案内部５２３の上方に位置している。この状態では、バネ部材９は、切替え部材８の端部８７により押圧された状態となっている。
【００５４】
角度調整が終了し、押圧を止めた後の状態を説明する図が図６Ｃである。
角度調整が終了したため、その角度（柱状部材６の突出量）を保ちつつ、押圧を中止した場合、図４Ｃから図４Ｂに示すように、バネ部材９の押圧力により切替え部材８の端部８７が下方向に押されて移動を開始する。移動を開始した場合、第２摺動部８６が第２案内部５２３に沿って移動する。また、第１摺動部８５が第１案内部５２２に沿って移動する。
【００５５】
この移動により、切替え部材８は第２方向Ｂに移動することで、柱状部材６に近づく。言い換えると、切替え部材８に保持される固定部材７が柱状部材６に近づく。そして、図６Ｃに示すように、固定部材７の係合部７２が柱状部材６の被係合部６１に係合する。この動作により、角度調整した状態（調整した柱状部材６の突出量）で柱状部材６を固定することができる。
【００５６】
以上述べたように、本実施形態に係るプロジェクター１によれば、以下の効果を得ることができる。
【００５７】
（１）本実施形態によれば、脚部３は、柱状部材６とケース部材５と固定部材７と切替え部材８と、を備えている。切替え部材８は、ケース部材５の内側で第１方向Ａに交差する第２方向Ｂに移動する。なお、第２方向Ｂとして、固定部材７を柱状部材６から遠ざかる方向に移動させ、柱状部材６との係合を解除させることで、柱状部材６の第１方向Ａへの移動を可能とすることができる。また、第２方向Ｂとして、固定部材７を柱状部材６に近づく方向に移動させ、柱状部材６と係合させることで、柱状部材６の第１方向Ａへの移動を規制することができる。これらの動作により、外装筐体２の設置角度の調整が行える脚部３を実現することができる。
【００５８】
（２）本実施形態によれば、柱状部材６は、ケース部材５の柱状部材収容部５１において、固定部材７の係合部７２に係合される被係合部６１と、ケース部材５の外側において第１方向Ａに移動するベース部６２と、を備えている。この構成により、ケース部材５の外側において、第１方向Ａに移動するベース部６２には被係合部６１を設ける必要がないため、係合する領域を外観として露出させる必要がなくなる。従って、露出するベース部６２の外観をシンプルな外観とすることができ、美観を損なうことを抑制することができる。
【００５９】
（３）本実施形態によれば、ケース部材５は、切替え部材８の第２方向Ｂへの移動を案内する第１案内部５２２、第２案内部５２３を備えていることにより、切替え部材８をスムーズで確実に移動させることができる。
【００６０】
（４）本実施形態によれば、切替え部材８は、固定部材７を保持する保持用突起８４を備えていることにより、切替え部材８の第２方向Ｂへの移動に従動させて固定部材７を確実に移動させることができる。
【００６１】
（５）本実施形態によれば、プロジェクター１は、固定部材７と柱状部材６とが係合する方向に切替え部材８を移動させるバネ部材９を備えている。これにより、角度調整後に、使用者が、切替え部材８の押圧部８１への押圧を止めた場合、バネ部材９の切替え部材８への押圧力により、固定部材７を移動させて柱状部材６と確実に係合させることができる。
【００６２】
（６）本実施形態によれば、切替え部材８は、外装筐体２の底面部２１から延出する先端部としての押圧部８１を備え、押圧部８１が押圧されて第２方向Ｂに移動されることにより、固定部材７の柱状部材６との係合が解除され、押圧が中止されることにより、固定部材７の柱状部材６との係合が行われる。従って、容易に角度調整を行うことができる。
【００６３】
（７）本実施形態によれば、柱状部材６の被係合部６１と、固定部材７の係合部７２とは、ねじ形状で構成されていることにより、確実に被係合部６１に係合部７２を係合させることができる。また、角度調整後に、被係合部６１に係合部７２が係合している状態で、柱状部材６のベース部６２を回転させることで、角度の微調整を行うこともできる。
【００６４】
（８）本実施形態によれば、ケース部材５は、柱状部材６の被係合部６１、固定部材７、先端部（押圧部８１）以外の切替え部材８（切替え部本体８２）、およびバネ部材９を内部に密閉するように収容し、柱状部材６のベース部６２は、ケース部材５の外部に移動可能となっている。この構成により、露出するベース部６２に埃が付着した場合であって角度調整を繰り返しても、付着した埃は、ケース部材５の内部に留まり、光学構成部や回路構成部等が収納されている外装筐体２の内部に侵入することを防止することができる。よって、埃の投写画像への映り込み等の不具合を防止することができる。
【００６５】
なお、本発明は上述した実施形態に限定されず、上述した実施形態に種々の変更や改良などを加えることが可能である。変形例を以下に述べる。
【００６６】
（変形例１）
上記実施形態では、柱状部材６の被係合部６１と、固定部材７の係合部７２とは、ねじ形状で構成されている。しかし、これには限定されず、ラック形状で構成されていてもよい。ラック形状で構成されることにより、ねじ形状に比べて、さらに確実に係合させることができる。
【００６７】
以下に、上記実施形態から導き出される内容を記載する。
【００６８】
プロジェクターは、筐体の底面に設置されて筐体の設置角度を調整する脚部を有するプロジェクターであって、脚部は、底面と交差する第１方向に移動可能に設置された柱状部材と、柱状部材が収納されるケース部材と、ケース部材の内側において第１方向に沿う係合部を有して柱状部材を固定する固定部材と、第１方向と交差する第２方向に移動可能に設置され、固定部材がケース部材の内側で、第２方向において、柱状部材に近づく方向に移動することで柱状部材と係合する状態と、柱状部材から遠ざかる方向に移動することで柱状部材との係合を解除する状態とになるように切替える切替え部材と、を備えることを特徴とする。
【００６９】
この構成によれば、脚部は、柱状部材とケース部材と固定部材と切替え部材と、を備えている。切替え部材は、ケース部材の内側で第１方向に交差する第２方向に移動する。なお、第２方向として、固定部材を柱状部材から遠ざかる方向に移動させ、柱状部材との係合を解除させることで、柱状部材の第１方向への移動を可能とすることができる。また、第２方向として、固定部材を柱状部材に近づく方向に移動させ、柱状部材と係合させることで、柱状部材の第１方向への移動を規制することができる。これらの動作により、筐体を含めプロジェクターの設置角度の調整が行える脚部を実現することができる。
【００７０】
上記のプロジェクターにおいて、柱状部材は、ケース部材の内側において固定部材の係合部に係合される被係合部と、ケース部材の外側において第１方向に移動するベース部と、を備えていることが好ましい。
【００７１】
この構成によれば、ケース部材の外側において、第１方向に移動するベース部には被係合部を設ける必要がないため、係合する領域を外観として露出させる必要がなくなる。従って、露出するベース部の外観をシンプルな外観とすることができ、美観を損なうことを抑制することができる。
【００７２】
上記のプロジェクターにおいて、ケース部材は、切替え部材の第２方向への移動を案内する案内部を備えていることが好ましい。
【００７３】
この構成によれば、切替え部材をスムーズで確実に移動させることができる。
【００７４】
上記のプロジェクターにおいて、切替え部材は、固定部材を保持する保持部を備えていることが好ましい。
【００７５】
この構成によれば、切替え部材の第２方向への移動に従動させて固定部材を確実に移動させることができる。
【００７６】
上記のプロジェクターにおいて、固定部材と柱状部材とが係合する方向に切替え部材を移動させるバネ部材を備えていることが好ましい。
【００７７】
この構成によれば、角度調整後に、バネ部材の切替え部材への付勢力（押圧力）により切替え部材を移動させることにより、固定部材を移動させて柱状部材と確実に係合させることができる。
【００７８】
上記のプロジェクターにおいて、切替え部材は底面から延出する先端部を備え、先端部が押圧されて第２方向に移動されることにより、固定部材の柱状部材との係合が解除され、押圧が中止されることにより、固定部材の柱状部材との係合が行われることが好ましい。
【００７９】
この構成によれば、先端部を押圧することにより、固定部材の柱状部材との係合が解除され、押圧が中止されることにより、固定部材の柱状部材との係合が行われることにより、容易に角度調整を行うことができる。
【００８０】
上記のプロジェクターにおいて、係合部および被係合部の形状は、ねじ形状またはラック形状であることが好ましい。
【００８１】
この構成によれば、ねじ形状に構成される場合には、確実に被係合部に係合部を係合させることができる。また、角度調整後に、被係合部に係合部が係合している状態で、柱状部材のベース部を回転させることで、角度の微調整を行うこともできる。ラック形状に構成される場合には、ねじ形状に比べて、さらに確実に係合させることができる。
【００８２】
上記のプロジェクターにおいて、ケース部材は、柱状部材の被係合部、固定部材、先端部以外の切替え部材、およびバネ部材を内部に密閉するように収容し、柱状部材のベース部は、ケース部材の外部に移動可能となっていることが好ましい。
【００８３】
この構成によれば、露出するベース部に埃が付着した場合であって角度調整を繰り返しても、付着した埃は、ケース部材の内部に留まり、光学構成部や回路構成部等が収納されている筐体の内部に侵入することを防止することができる。よって、埃の投写画像への映り込み等の不具合を防止することができる。
【符号の説明】
【００８４】
１…プロジェクター、２…外装筐体、３…脚部、５…ケース部材、６…脚部本体としての柱状部材、７…固定部材、８…切替え部材、９…バネ部材、５１…柱状部材収容部、５２…切替え部材収容部、５３…バネ部材収容部、６１…被係合部、６２…ベース部、７２…係合部、８１…先端部としての押圧部、８４…保持部としての保持用突起、５２２…案内部としての第１案内部、５２３…案内部としての第２案内部、Ａ…第１方向、Ｂ…第２方向。
【図１】
2019191205.tif 000003
【図２】
2019191205.tif 000004
【図３Ａ】
2019191205.tif 000005
【図３Ｂ】
2019191205.tif 000006
【図４Ａ】
2019191205.tif 000007
【図４Ｂ】
2019191205.tif 000008
【図４Ｃ】
2019191205.tif 000009
【図５】
2019191205.tif 000010
【図６Ａ】
2019191205.tif 000011
【図６Ｂ】
2019191205.tif 000012
【図６Ｃ】
2019191205.tif 000013